(57)【要約】      （修正有）【課題】小さくできる水栓装置を提供する。【解決手段】水栓装置は、原水が流れる原水供給路、原水供給路に連通した第二収容部１２７、及び原水供給路と第二収容部１２７の間の流路を開閉する開閉弁５０、を有している水栓本体１０と、第二収容部１２７に対して着脱自在に収容された被収容部６４、及び第二収容部１２７から露出して開閉弁５０を開閉操作する浄水用操作部６６、を有し、第二収容部１２７に流入する原水を浄水に改質する改質部６３を内蔵した浄水カートリッジ６０と、を備えている。【選択図】図３
2020084504.tif 000002
【特許請求の範囲】
【請求項１】
水が流れる通水部、前記通水部に連通した収容部、及び前記通水部と前記収容部の間の流路を開閉する開閉弁、を有している水栓本体と、
前記収容部に対して着脱自在に収容された被収容部、及び前記収容部から露出して前記開閉弁を開閉操作する操作部、を有し、前記収容部に流入する原水を浄水に改質する改質部を内蔵した浄水カートリッジと、
を備えている水栓装置。
【請求項２】
前記被収容部は、外形が円柱形状であり、中心軸を軸として回転自在に前記収容部に収容されている
請求項１に記載の水栓装置。
【請求項３】
前記浄水カートリッジは、外周側に前記通水部から原水が流入する流入口と、前記中心軸側に前記改質部から浄水が流出する流出口と、を有している
請求項２に記載の水栓装置。
【請求項４】
前記浄水カートリッジは、前記被収容部の端面に前記流入口及び前記流出口を有している
請求項３に記載の水栓装置。
【請求項５】
前記操作部は、前記中心軸が回転軸であり、前記開閉弁が閉じた状態の位置を基準として、前記操作部が一方向に回転すると、前記開閉弁が開き、前記操作部が前記一方向と逆方向に回転すると、前記浄水カートリッジが前記収容部から取り外せる状態になる
請求項２から４のいずれかに記載の水栓装置。
【請求項６】
前記開閉弁は、前記収容部の底部に配置している
請求項１から５のいずれかに記載の水栓装置。
【請求項７】
前記開閉弁は、前記水栓本体に固定された固定弁と、前記固定弁に摺動自在に接した板状の可動弁と、を有している
請求項１から６のいずれかに記載の水栓装置。
【請求項８】
前記開閉弁と、前記浄水カートリッジとは、一方に係止部を有し、他方に前記係止部と係止する被係止部を有している
請求項１から７のいずれかに記載の水栓装置。
【請求項９】
前記改質部は、前記被収容部の内部と前記操作部の内部に跨って配置している
請求項１から８のいずれかに記載の水栓装置。
【請求項１０】
前記操作部を覆うカバー部材を備えている
請求項１から９のいずれかに記載の水栓装置。
【発明の詳細な説明】
【技術分野】
【０００１】
本発明は、水栓装置に関する。
【背景技術】
【０００２】
特許文献１は、通水部を有する水栓本体と、浄水カートリッジを備えた水栓装置を開示している。この水栓本体は、浄水カートリッジへ通水する流路を開閉するための操作部を有しており、操作部と浄水カートリッジは、水栓装置に別々に離れて配置されている。
【先行技術文献】
【特許文献】
【０００３】
【特許文献１】特開平９−４１４４４号公報
【発明の概要】
【発明が解決しようとする課題】
【０００４】
特許文献１の水栓装置では、操作部と浄水カートリッジを別々に備えているため、操作部と浄水カートリッジの取付け部分もそれぞれ必要となり、水栓装置が大きくなってしまう。また、操作部と浄水カートリッジが離れて配置されると、浄水カートリッジへ通水する流路が長くなる恐れがあり、流路を内蔵する水栓本体が大きくなったり、水栓本体に配管を接続して流路を形成したりするなどして、水栓装置が大きくなってしまう。
【０００５】
本発明は、このような事情を鑑み、小さくできる水栓装置を提供することを目的とする。
【課題を解決するための手段】
【０００６】
本発明の水栓装置は、水が流れる通水部、前記通水部に連通した収容部、及び前記通水部と前記収容部の間の流路を開閉する開閉弁、を有する水栓本体と、前記収容部に対して着脱自在に収容された被収容部、及び前記収容部から露出して前記開閉弁を開閉操作する操作部、を有し、前記収容部に流入する原水を浄水に改質する改質部を内蔵した浄水カートリッジと、を備えていることを特徴とする。
【０００７】
本発明の水栓装置によれば、浄水カートリッジが開閉弁を開閉操作する操作部を有しているので、水栓本体に操作部を配置する必要がない。したがって、水栓装置を小さくできる。
【図面の簡単な説明】
【０００８】
【図１】本発明の実施例１に係る吐水装置がカウンターに取り付けられた状態を示す斜視図である。
【図２】基部を透明にして、本体部と水供給管の接続部分を示す斜視図である。
【図３】水栓本体の内部構造を示す部分断面図である。
【図４】水栓本体に給水ホースが挿通する部分を示す部分断面図である。
【図５】通水部材の外観を示し、（Ａ）は弁収容部側から見た側面図、（Ｂ）は浄水収容部側から見た側面斜視図、（Ｃ）は底面図である。
【図６】水栓装置の通水部を示す概略図である。
【図７】第二収容部に収容される部品の分解図である。
【図８】浄水カートリッジの外観を示す斜視図である。
【図９】水栓本体から浄水カートリッジを取り外した分解図である。
【図１０】図３に示すＡ−Ａ線で第二収容部を切断し、浄水カートリッジの一部を省略して開閉弁周辺をみた断面図であり、開閉弁が閉じた状態を示す。
【図１１】図３に示すＡ−Ａ線で第二収容部を切断し、浄水カートリッジの一部を省略して開閉弁周辺をみた断面図であり、開閉弁が開いた状態を示す。
【図１２】図３に示すＡ−Ａ線で第二収容部を切断し、浄水カートリッジの一部を省略して開閉弁周辺をみた断面図であり、浄水カートリッジを取り外せる状態を示す。
【発明を実施するための形態】
【０００９】
本発明における好ましい実施の形態を説明する。
本発明の水栓装置において、前記被収容部は、外形が円柱形状であり、中心軸を軸として回転自在に前記収容部に収容されていてもよい。
この場合、円柱形状の被収容部が、中心軸を軸として回転するので、収容部を被収容部と同じ中心軸とした円柱形状とすることにより、収容部を小さくできる。
【００１０】
本発明の水栓装置において、前記浄水カートリッジは、外周側に前記通水部から原水が流入する流入口と、前記中心軸側に前記改質部から浄水が流出する流出口と、を有していてもよい。
この場合、流出口が浄水カートリッジの中心軸側にあるので、通水部の構造を簡単にでき、水栓本体を小さくできる。
【００１１】
本発明の水栓装置において、前記浄水カートリッジは、前記被収容部の端面に前記流入口及び前記流出口を有していてもよい。
この場合、流入口及び流出口が被収容部の端面にまとまってあるので、浄水カートリッジの径方向の寸法を小さくしたり、通水部を短くしたりでき、水栓装置をさらに小さくできる。
【００１２】
本発明の水栓装置において、前記操作部は、前記中心軸が回転軸であり、前記開閉弁が閉じた状態の位置を基準として、前記操作部が一方向に回転すると、前記開閉弁が開き、前記操作部が前記一方向と逆方向に回転すると、前記浄水カートリッジが前記収容部から取り外せる状態になってもよい。
この場合、浄水カートリッジを収容部から取り外す際、開閉弁は閉じた状態で維持されるので、収容部から水が吐出することを防止できる。また、浄水カートリッジを収容部から取り外すと、開閉弁の操作部も水栓本体から取り外すこととなるため、浄水カートリッジの交換中に、誤って開閉弁を操作することを防止できる。
【００１３】
本発明の水栓装置において、前記開閉弁は、前記収容部の底部に配置してしてもよい。
この場合、開閉弁と収容部が近くに配置されるので、通水部を短くでき、水栓本体を小さくできる。
【００１４】
本発明の水栓装置において、前記開閉弁は、前記水栓本体に固定された固定弁と、前記固定弁に摺動自在に接した板状の可動弁と、を有していてもよい。
この場合、開閉弁を薄くできるので、水栓本体を小さくできる。
【００１５】
本発明の水栓装置において、前記開閉弁と、前記浄水カートリッジとは、一方に係止部を有し、他方に前記係止部と係止する被係止部を有していてもよい。
この場合、開閉弁と浄水カートリッジとの連結構造を簡単にできるので、水栓装置を小さくできる。
【００１６】
本発明の水栓装置において、前記改質部は、前記被収容部の内部と前記操作部の内部に跨って配置していてもよい。
この場合、改質部は、被収容部の内部に配置されるだけでなく、水栓本体の収容部から露出している操作部の内部にも配置されるので、改質部の容積を大きくでき、浄水カートリッジの寿命を延ばすなど、浄水カートリッジの性能を向上させることができる。また、改質部を操作部の内部にも配置することで、被収容部を小さくでき、水栓本体を小さくできる。
【００１７】
本発明の水栓装置において、前記操作部を覆うカバー部材を備えていてもよい。
この場合、操作部の意匠性を高めることができる。
【００１８】
次に、本発明を具体化した実施例について、図面を用いて説明する。
なお、以下の説明では、上下方向は、図１から図４、図６、図７、図９に表れる向きをそのまま上下方向とする。左右方向は、図４、図６、図７に表れる向きをそのまま左右方向とする。前後方向は、図４に表れる左側を前側、右側を後ろ側とする。使用者に対する奥行方向は、図１に表れる左側を手前側、右側を奥側とする。
また、湯水混合弁へ流れる水を、単に水と説明し、浄水カートリッジへ流れる水を、原水と説明して言い分けるが、いずれの水も同じ給水源から供給された、同じ成分の水である。また、湯水混合弁は、水と湯の混合比率を調節することにより、水のみを流出したり、湯のみを流出したりできるが、湯水混合弁から流出するものを、単に混合水として説明する。
【００１９】
＜実施例１＞
実施例１における水栓装置１は、図１に示すように、被取付け部である流し台のカウンターの上面に取り付けられる。カウンターの上面は、水平である。水栓装置１は、水栓本体１０、浄水カートリッジ６０、及び吐出管７０を備えており、水と湯を混合した混合水、及び原水から塩素や濁りなどを除去した浄水を吐出する。
【００２０】
水栓本体１０は、カウンターの上面に設置される基部１１、通水部材２０を内蔵する本体部１２、及び吐出管７０を保持する保持部１３を有している。水栓本体１０は、全体が十字形状に形成されている。
【００２１】
基部１１の外観は、上方へ延びる円柱形状であり、基部１１の下端面１１１は、カウンターの上面に設置している。基部１１の下側の外周には、上側の外周よりも周方向に拡径した拡径部１１２を有し、基部１１の下端面１１１と、カウンターの上面との接触面積を大きくしている。基部１１の内部には、図２及び図３に示すように、上下方向に貫通した管収容部１１３が形成されており、管収容部１１３は、水供給管３１、湯供給管３２、流出管３３、及び給水ホース３４を収容している。基部１１は、図示しない取付け部材を有しており、カウンターの上面と下面を取付け部材で挟持することにより、水栓装置１をカウンターに固定している。
【００２２】
本体部１２の外観は、水平方向に延びる円柱形状であり、本体部１２は、基部１１の上側に接続している。本体部１２の両端面には、図３に示すように、開口１２１，１２６が形成されており、内部に２つの空間を区画する壁部１２４が形成されている。壁部１２４の右側の空間には、水が流れる通水部２１を有する通水部材２０が配置されている。通水部材２０の右側の端面は、本体部１２の開口１２１と連通する開口２２が形成されており、内部に湯水混合弁４０を収容する第一収容部２３が形成されている。第一収容部２３は、通水部２１に連通している。壁部１２４の左側の空間には、浄水カートリッジ６０の一部を収容する第二収容部１２７が形成されている。通水部材２０と浄水カートリッジ６０との間には、後述する開閉弁５０が配置されている。本体部１２の両端側には、それぞれ操作部が配置されており、右側には、湯水混合弁４０を操作するための混合弁用操作部４２、左側には、開閉弁５０を操作するための浄水用操作部６６が配置されている。
【００２３】
保持部１３の外観は、円柱形状であり、保持部１３は、本体部１２の外周面１２９の上側から上方へ延びて形成されている。保持部１３の内部には、上下方向に貫通した空間１３１が形成されており、吐出管７０の基端部７１が挿入されている。保持部１３の外周には、図４に示すように、水平方向に貫通したネジ孔１３２が形成されており、ネジ孔１３２は、吐出管７０の基端部７１の外周に形成された溝７２を臨む位置にある。ネジ孔１３２には、ネジ部材８１が螺合されている。ネジ部材８１は、保持部１３の内周側に突出し、ネジ部材８１の端部８１１は、吐出管７０の溝７２に挿入されている。これにより、吐出管７０が上方へ移動しようとすると、吐出管７０の溝７２がネジ部材８１の端部８１１に係止し、吐出管７０の上方への移動が阻止される。
【００２４】
混合水及び浄水を吐出する吐出部である吐出管７０の外観は、図１に示すように、基端部７１から上方へ垂直に延び、中間部で湾曲し、先端部７３が斜め下方に向いた、いわゆるグースネック形状である。吐出管７０の基端部７１は、図４に示すように、保持部１３に挿入されており、吐出管７０は、基部１１から上方へ本体部１２及び保持部１３を介して、延びるように繋がっている。吐出管７０は、本体部１２に対して、管軸を回転軸として回動自在に保持されている。吐出管７０の内部には、カウンターの下方から延びた給水ホース３４が摺動自在に収容されている。吐出管７０の先端部７３には、図１に示すように、吐水ヘッド７４が着脱自在に保持されている。吐水ヘッド７４は、給水ホース３４と接続しており、吐出管７０の先端部７３から給水ホース３４と共に引出し自在であり、給水ホース３４から供給された混合水及び浄水を、先端面に形成された図示しない吐水口７５から吐出する。吐水ヘッド７４の先端部７６は、管軸を回転軸として回動自在であり、外周方向に突出した摘み部７７を有している。使用者は、摘み部７７を摘み、先端部７６を回転操作することにより、吐水口７５から吐出する混合水及び浄水を、シャワーまたは整流に切り替えることができる。
【００２５】
次に、水栓本体１０の内部構造について、詳細に説明する。
通水部材２０の左側は、図３に示すように、水平方向に延びる円筒形状であり、内部に水が流れる通水部２１を有している。通水部材２０の左側の下面には、図２及び図５（Ｃ）に示すように、通水部２１に連通した、３つの開口が形成されている。右側の手前に形成された開口は、水供給管３１と接続する水側入口２２１である。右側の奥に形成された開口は、湯供給管３２と接続する湯側入口２２２である。水側入口２２１と湯側入口２２２の中間位置から左側に形成された開口は、流出管３３と接続する二次側出口２２３である。水供給管３１及び湯供給管３２は、それぞれ図示しない給水源及び給湯源に接続している。流出管３３は、カウンターの下方で給水ホース３４と接続している。
【００２６】
通水部材２０の後方側の外周面２５と、本体部１２の右側の空間を形成する内周面１２３との間には、図４に示すように、隙間が形成されており、給水ホース３４は、隙間に沿って、後方側へ湾曲して挿通している。通水部材２０の後方側の外周面２５と、本体部１２の内周面１２３は、給水ホース３４が摺動する際の案内面となっている。
【００２７】
通水部材２０の右側は、水平方向に延びる円筒形状であり、内部に第一収容部２３が形成されている。第一収容部２３の底面２３０には、図５（Ａ）に示すように、水側入口２２１と連通した水供給口２３１、湯側入口２２２と連通した湯供給口２３２、及び二次側出口２２３と連通した混合水流出口２３３が形成されている。
【００２８】
第一収容部２３に収容された湯水混合弁４０は、水供給口２３１、湯供給口２３２、及び混合水流出口２３３にそれぞれ接続しており、水供給管３１から供給される水と、湯供給管３２から供給される湯の混合比率を調節するとともに、湯供給管３２へ流出する混合水の流出量を調節する。本体部１２の右側の開口１２１には、図３に示すように、内周面に雌ネジ部１２２が形成されている。雌ネジ部１２２は、固定部材８２が締結されており、固定部材８２の端面８２１は、湯水混合弁４０に当接している。固定部材８２は、雌ネジ部１２２に締結することにより、湯水混合弁４０を第一収容部２３の底面２３０へ圧接して水密に固定している。
【００２９】
湯水混合弁４０は、図３に示すように、本体部１２の開口１２１から突出する操作軸４１を有している。操作軸４１は、湯水混合弁４０を操作する混合弁用操作部４２と接続している。混合弁用操作部４２の外観は、図１に示すように、水平方向に延びる円筒形状であり、混合弁用操作部４２の外周面４２１は、本体部１２の外周面１２９と連続した同一面を形成するとともに、径方向へ延びる操作レバー４２２を有している。湯水混合弁４０は、操作レバー４２２が上方へ向いた位置では、水よりも湯の混合比率が大きく、操作レバー４２２が手前方向Ｒ１に移動するにつれて、水の混合比率が大きくなる。また、湯水混合弁４０は、操作レバー４２２が本体部１２の径方向と同じ方向に向いた位置では、閉弁し、操作レバー４２２が右側へ倒れる方向Ｚに移動すると、開弁し、移動量が大きくなるにつれて、吐水口７５からの流出量が増える。
【００３０】
通水部材２０の左側の端部２４には、図５（Ｂ）に示すように、通水部２１に連通した、２つの開口が形成されている。手前側に形成された開口は、水側入口２２１と連通した原水供給口２４１である。原水供給口２４１を避けるように形成された大きな開口は、二次側出口２２３と連通した浄水流出口２４３である。
【００３１】
通水部２１は、図５及び図６に示すように、第一収容部２３と第二収容部１２７との間に、垂直方向に延びる流路と、水平方向に延びる流路を有している。水側入口２２１と連通する一次側流路２１１は、上方へ延びており、上端部で分岐する。分岐部２１４は、湯水混合弁４０側へ延び、水供給口２３１と連通する水供給路２１５と、後述する浄水カートリッジ６０側へ延び、原水供給口２４１と連通する原水供給路２１６に分岐する部分である。湯側入口２２２と連通する湯側流路２１２は、上方へ延びており、上端部で湯水混合弁４０側に曲がって、湯供給口２３２と連通する。混合水流出口２３３と連通する混合水流出路２１７は、水平方向に延び、浄水流出口２４３と連通する浄水流出路２１８と合流する。合流部２１９の下部には、下方へ延び、二次側出口２２３と連通する二次側流路２１３が形成されている。
【００３２】
通水部材２０は、図３に示すように、本体部１２の壁部１２４の右側側面に接続している。壁部１２４は、図７に示すように、中央側に２つの開口部が形成されており、それぞれ原水供給路２１６及び浄水流出路２１８に連通している。
【００３３】
壁部１２４の左側側面には、通水部２１である原水供給路２１６と、後述する浄水カートリッジ６０の一部を収容する第二収容部１２７との間の流路を開閉する開閉弁５０が配置されている。開閉弁５０は、円板形状の可動弁５１と、リング形状の固定リング５２を有している。
【００３４】
可動弁５１は、図７に示すように、外周側に原水供給路２１６と連通する原水用開口部５１１と、中央側に浄水流出路２１８と連通する浄水用開口部５１２が貫通して形成されており、周縁の一部に一対の切り欠き部５１３が切り欠いて形成されている。
【００３５】
固定リング５２の外周面は、第二収容部１２７の内周面に沿う形状である。固定リング５２の内周面の上部及び下部には、径方向内側に延びる一対の固定部５２１が形成されている。固定部５２１は、固定リング５２と同じ厚さを有しており、中央に貫通孔５２２が形成されている。固定リング５２の内周面のうち、固定部５２１がない部分には、可動弁５１及び浄水カートリッジ６０が第二収容部１２７から外れないようにするため、径方向内側へ延びる第一段部５２３及び第二段部５２６が形成されている。第一段部５２３は、固定リング５２の端面のうち、本体部１２の壁部１２４側である右側端面に対して、可動弁５１の厚さに相当する長さだけ、浄水カートリッジ６０側である左側へ寄った位置から立ち上がっており、可動弁５１の浄水カートリッジ６０側である左側面に対向する第一段差面５２４を有している。第一段部５２３の周方向両端部５２５は、固定部５２１の周面と繋がっている。第二段部５２６は、第一段差面５２４に対して、後述する浄水カートリッジ６０の径方向突出部６５４の厚さに相当する長さだけ、浄水カートリッジ６０側である左側へ寄った位置から立ち上がっており、径方向突出部６５４の左側面に対向する第二段差面５２７を有している。第二段部５２６の周方向端部は、径方向突出部６５４の周方向の長さに相当する長さだけ、切り欠き部５２８が形成されている。第一段部５２３は、固定部５２１から周方向へ離れた位置であって、第二段差部の周方向端部の近傍位置に、径方向内側へ延び、第二段差面５２７の一部に被さるように固定リング側突起部５２９を有している。
【００３６】
可動弁５１は、本体部１２の壁部１２４と、固定リング５２の第一段差面５２４との間に挟み込まれた状態で、皿ビス８３が固定リング５２の貫通孔５２２を挿通し、本体部１２の壁部１２４に形成された雌ネジ部１２５に締結されることにより、第二収容部１２７の底部１２８に配置されている。可動弁５１は、図３に示すように、面内方向が垂直方向を向いており、本体部１２の壁部１２４に対して、周方向に摺動自在に接している。本体部１２の壁部１２４は、水栓本体１０に固定された固定弁５３として機能し、可動弁５１と共に、原水供給路２１６と第二収容部１２７との間の流路を開閉する開閉弁５０を構成している。
【００３７】
次に、浄水カートリッジ６０について、説明する。
浄水カートリッジ６０の外観は、図８に示すように、円柱形状であり、容器本体６１、蓋部材６２、及び改質部６３を有している。容器本体６１は、図３に示すように、内部に改質部６３を内蔵しており、蓋部材６２を締結して封止している。浄水カートリッジ６０は、所定量の原水を改質部６３で浄水に改質すると、徐々に改質性能が劣化していくものであり、所定の使用期間を経過したり、寿命となると、図９に示すように、第二収容部１２７から取り外して交換する交換部品である。
【００３８】
浄水カートリッジ６０のうち、中心軸方向の右側部分は、図３に示すように、第二収容部１２７に収容される被収容部６４である。被収容部６４の端面６５には、図７に示すように、中心軸方向に貫通する、２つの開口が形成されている。端面６５の外周側に形成された開口は、本体部１２の原水供給路２１６、及び可動弁５１の原水用開口部５１１に連通し、原水が流入する流入口６５１であり、中央側に形成された開口は、本体部１２の浄水流出路２１８、及び可動弁５１の浄水用開口部５１２に連通し、浄水が流出する流出口６５２である。
【００３９】
被収容部６４の端面６５には、被収容部６４の外径よりも小さい小径部６５３が形成されている。小径部６５３は、固定リング５２の内周側に挿入できる大きさであり、外周面から径方向へ突出する径方向突出部６５４を有している。径方向突出部６５４は、被収容部６４の外周側の端面に対して、固定リング５２の第二段部５２６の厚さと同じ長さだけ間隔を空けて形成されている。径方向突出部６５４の外形は、固定リング５２の切り欠き部５２８に挿通できる形状であり、固定リング５２の第二段差面５２７に対向できる対向面６５５を有している。径方向突出部６５４の外周には、径方向へ突出するカートリッジ側突起部６５６が形成されている。
【００４０】
被収容部６４の端面６５には、中心軸方向に突出する軸方向突出部６５７が形成されている。軸方向突出部６５７の外形は、矩形形状である。軸方向突出部６５７は、被収容部６４が第二収容部１２７に収容された状態において、可動弁５１に形成された矩形の貫通孔５１４に挿入されており、軸方向突出部６５７の外周面と、可動弁５１の貫通孔５１４の内周面とが係合し、浄水カートリッジ６０と開閉弁５０が連結する。
【００４１】
浄水カートリッジ６０のうち、中心軸方向の左側部分は、図１及び図３に示すように、水栓本体１０の第二収容部１２７から露出しており、開閉弁５０を開閉操作する浄水用操作部６６になっている。浄水用操作部６６は、図８及び図９に示すように、外周から径方向に突出したリブ６６１を有し、カバー部材９０で覆われている。カバー部材９０の開口端部９１には、リブ６６１を挿通する溝部９２が形成されており、カバー部材９０は、容器本体６１に対して、中心軸方向に着脱自在に装着されている。カバー部材９０の外周面９３は、被収容部６４が第二収容部１２７に収容された状態において、本体部１２の外周面１２９と連続した同一面を形成している。
【００４２】
改質部６３は、図３に示すように、中心軸方向に延びる貫通流路６３１が形成された、多孔質のセラミック製の芯材６３２を有しており、芯材６３２の外周には、円筒形状に成形された活性炭６３３を有している。改質部６３は、容器本体６１の内部に、中心軸方向のほぼ全長に亘って配置しており、被収容部６４の内部と浄水用操作部６６の内部に跨って配置している。改質部６３の外周面６３４と、容器本体６１の内周面６１１との間には、隙間６７が形成されており、流入口６５１は、隙間６７と連通している。改質部６３の貫通流路６３１は、流出口６５２と連通している。これにより、流入口６５１から流入した原水は、隙間６７を流れ、改質部６３の外周面６３４から内部へ浸透する。この際、原水は、改質部６３で塩素や濁りが除去されて浄水となり、貫通流路６３１を通じて流出口６５２から流出する。
【００４３】
次に、浄水用操作部６６と開閉弁５０の動作機構について、説明する。
浄水カートリッジ６０の被収容部６４は、図３及び図７に示すように、本体部１２の第二収容部１２７に対して、被収容部６４の中心軸を軸として回転自在に収容されている。被収容部６４が第二収容部１２７に収容されている場合、浄水カートリッジ６０の軸方向突出部６５７の外周面と、可動弁５１の貫通孔５１４の内周面とは、常に係合しており、浄水カートリッジ６０の流入口６５１及び流出口６５２は、可動弁５１の原水用開口部５１１及び浄水用開口部５１２とそれぞれ連通している。
使用者が浄水用操作部６６を回転させると、浄水カートリッジ６０全体が水栓本体１０に対して回転するとともに、軸方向突出部６５７の外周面が貫通孔の内周面に係止し、可動弁５１も一緒に回転する。このため、浄水カートリッジ６０の流入口６５１及び流出口６５２は、可動弁５１の原水用開口部５１１及び浄水用開口部５１２と、それぞれ連通状態を維持する。
浄水カートリッジ６０の流出口６５２、可動弁５１の浄水用開口部５１２、及び本体部１２の浄水流出路２１８は、被収容部６４の中心軸上に並んでいる。このため、流出口６５２、浄水用開口部５１２及び浄水流出路２１８は、常に連通しており、使用者が浄水用操作部６６を回転させた場合でも、連通状態を維持する。
【００４４】
可動弁５１の原水用開口部５１１は、図１０に示すように、開閉弁５０が閉じた状態において、本体部１２の原水供給路２１６の位置から周方向にずれた位置にある。このため、原水供給路２１６は、可動弁５１の固定弁５３側側面によって遮断され、原水用開口部５１１と連通せず、原水は、浄水カートリッジ６０側へ流れない。
浄水カートリッジ６０の径方向突出部６５４は、固定リング５２の第二段差面５２７と、可動弁５１との間に挟み込まれている。このため、使用者が浄水カートリッジ６０を回転軸方向へ引っ張っても、径方向突出部６５４の対向面６５５が第二段差面５２７に係止し、浄水カートリッジ６０は、水栓本体１０から取り外せない。
【００４５】
使用者が浄水用操作部６６を図１に示すように手前方向Ｒ２に回転させると、浄水カートリッジ６０とともに可動弁５１が回転し、図１１に示すように、可動弁５１の原水用開口部５１１は、本体部１２の原水供給路２１６と連通する。これにより、原水は、原水供給路２１６から、可動弁５１の原水用開口部５１１を通じて、浄水カートリッジ６０側へ流れる。
使用者が浄水用操作部６６を手前方向Ｒ２に回転させていくと、可動弁５１の切り欠き部５１３は、固定リング５２の固定部５２１の外周面に係止する。これにより、浄水用操作部６６は、手前方向Ｒ２への回転が規制される。
【００４６】
開閉弁５０が開いた状態において、使用者が浄水用操作部６６を図１に示すように奥方向Ｒ３に回転させると、図１０に示すように、原水供給路２１６は、可動弁５１の固定弁５３側側面によって遮断され、開閉弁５０が閉じた状態になる。使用者が浄水用操作部６６を奥方向Ｒ３に回転させていくと、カートリッジ側突起部６５６は、固定リング側突起部５２９に係止する。これにより、浄水用操作部６６は、奥方向Ｒ３への回転が一時的に規制される。
【００４７】
使用者が浄水用操作部６６をさらに奥方向Ｒ３に回転させると、カートリッジ側突起部６５６は、弾性変形して固定リング側突起部５２９を乗り越えて、奥方向Ｒ３への回転規制が解除される。使用者が浄水用操作部６６をさらに奥方向Ｒ３に回転させると、図１２に示すように、可動弁５１の切り欠き部５１３は、固定リング５２の固定部５２１の外周面に係止し、奥方向Ｒ３への回転が規制される。この場合、浄水カートリッジ６０の径方向突出部６５４は、回転軸方向視において、固定リング５２の切り欠き部５２８の位置と一致し、径方向突出部６５４の対向面６５５は、固定リング５２の第二段差面５２７と対向しない。このため、使用者が浄水カートリッジ６０を回転軸方向へ引っ張ると、径方向突出部６５４の対向面６５５は第二段差面５２７に係止せず、浄水カートリッジ６０は、水栓本体１０から取り外せる。
このような浄水カートリッジ６０が水栓本体１０から取り外せる状態において、原水供給路２１６は、可動弁５１の固定弁５３側側面によって遮断され続けるので、開閉弁５０は、閉じた状態を維持する。
【００４８】
次に、実施例１の作用及び効果について、説明する。
実施例１の水栓装置１は、原水が流れる原水供給路２１６、原水供給路２１６に連通した第二収容部１２７、及び原水供給路２１６と第二収容部１２７の間の流路を開閉する開閉弁５０、を有している水栓本体１０と、第二収容部１２７に対して着脱自在に収容された被収容部６４、及び第二収容部１２７から露出して開閉弁５０を開閉操作する浄水用操作部６６、を有し、第二収容部１２７に流入する原水を浄水に改質する改質部６３を内蔵した浄水カートリッジ６０と、を備えている。
このような水栓装置１によれば、浄水カートリッジ６０が開閉弁５０を開閉操作する浄水用操作部６６を有しているので、水栓本体１０に第二収容部１２７を配置するだけで開閉弁５０を操作することができ、水栓本体１０に第二収容部１２７と浄水用操作部６６の両方を配置する必要がない。したがって、水栓本体１０を小さくでき、水栓装置１を小さくできる。
【００４９】
実施例１の水栓装置１において、被収容部６４は、外形が円柱形状であり、中心軸を軸として回転自在に第二収容部１２７に収容されている。
この場合、円柱形状の被収容部６４が、中心軸を軸として回転するので、第二収容部１２７を被収容部６４と同じ中心軸とした円柱形状とすることにより、第二収容部１２７を小さくできる。
【００５０】
実施例１の水栓装置１において、浄水カートリッジ６０は、外周側に原水供給路２１６から原水が流入する流入口６５１と、中心軸側に改質部６３から浄水が流出する流出口６５２と、を有している。
この場合、流出口６５２が浄水カートリッジ６０の中心軸側にあるので、浄水カートリッジ６０が中心軸を軸として回転しても、流出口６５２は周方向に移動しない。このため、可動弁５１の浄水用開口部５１２、及び本体部１２の浄水流出路２１８を同軸上に並んで配置させることにより、浄水が流れる流路を簡単に連通させることができ、浄水が流れる流路を短くできるので、水栓本体１０を小さくできる。
【００５１】
実施例１の水栓装置１において、浄水カートリッジ６０は、被収容部６４の端面に流入口６５１及び流出口６５２を有している。
この場合、流入口６５１及び流出口６５２が被収容部６４の端面にまとまってあるので、浄水カートリッジ６０の径方向の寸法を小さくしたり、通水部２１を短くしたりでき、水栓装置１を小さくできる。
【００５２】
実施例１の水栓装置１において、浄水用操作部６６は、被収容部６４の中心軸が回転軸であり、開閉弁５０が閉じた状態の位置を基準として、浄水用操作部６６が手前方向に回転すると、開閉弁５０が開き、浄水用操作部６６が奥方向に回転すると、浄水カートリッジ６０が第二収容部１２７から取り外せる状態になる。
この場合、浄水カートリッジ６０を第二収容部１２７から取り外す際、開閉弁５０は閉じた状態で維持されるので、第二収容部１２７から原水が吐出することを防止できる。また、浄水カートリッジ６０を第二収容部１２７から取り外すと、開閉弁５０の操作部も水栓本体１０から取り外すこととなるため、浄水カートリッジ６０の交換中に、誤って開閉弁５０を操作することを防止できる。
【００５３】
実施例１の水栓装置１において、開閉弁５０は、第二収容部１２７の底部１２８に配置している。
この場合、開閉弁５０と第二収容部１２７が近くに配置されるので、原水供給路２１６と浄水流出路２１８を短くでき、水栓本体１０を小さくできる。
【００５４】
実施例１の水栓装置１において、開閉弁５０は、水栓本体１０の壁部１２４である固定弁５３と、固定弁５３に摺動自在に接した板状の可動弁５１と、を有している。
この場合、開閉弁５０を円筒形状のシリンダ弁などで構成するものと比べて薄くできるので、水栓本体１０を小さくできる。
【００５５】
実施例１の水栓装置１において、開閉弁５０と、浄水カートリッジ６０とは、可動弁５１に係止部として貫通孔を有し、浄水カートリッジ６０に貫通孔の内周面と係止する軸方向突出部６５７を有している。
この場合、浄水カートリッジ６０を第二収容部１２７に収容するだけで、軸方向突出部６５７が貫通孔に挿入されて係合し、開閉弁５０と浄水カートリッジ６０が連結するので、連結構造を簡単にでき、水栓装置１を小さくできる。
【００５６】
実施例１の水栓装置１において、改質部６３は、被収容部６４の内部と操作部の内部に跨って配置している。
この場合、改質部６３は、第二収容部１２７の内部に配置されるだけでなく、水栓本体１０の第二収容部１２７から露出している浄水用操作部６６の内部にも配置されるので、改質部６３の容積を第二収容部１２７よりも大きくでき、浄水カートリッジ６０の寿命を延ばすなど、浄水カートリッジ６０の性能を向上させることができる。また、改質部６３を第二操作部の内部にも配置することで、被収容部６４を小さくでき、水栓本体１０を小さくできる。
【００５７】
実施例１の水栓装置１は、浄水用操作部６６を覆うカバー部材９０を備えている。
この場合、浄水用操作部６６の意匠性を高めることができる。
【００５８】
＜他の実施例＞
本発明は、上記記述及び図面によって説明した実施例に限定されるものではなく、次のような実施例も本発明の技術的範囲に含まれる。
（１）水栓装置１は、水平なカウンターに取り付けられていなくてもよく、水平方向に対して傾斜したカウンターや、垂直に立ち上がった壁面に取り付けるものでもよい。
（２）実施例１の水栓装置１は、混合水を吐出するため、湯水混合弁４０を備えていたが、湯水混合弁４０がなくてもよく、浄水のみを吐出するものでもよい。
（３）浄水カートリッジ６０の改質部６３は、活性炭やセラミック製フィルタに限らず、中空糸やイオン交換樹脂を用いてもよく、原水を軟水に改質するものでもよい。
（４）実施例１の改質部６３は、被収容部６４の内部と浄水用操作部６６の内部に跨って配置していたが、被収容部６４の内部だけに配置していたり、浄水用操作部６６の内部だけに配置していたりしてもよい。
（５）浄水カートリッジ６０は、水栓装置１が被取付け部に取り付けられた状態において、水平方向に着脱自在に収容されていなくてもよく、水栓本体１０に対して垂直方向に着脱自在に収容されていてもよい。
（６）浄水カートリッジ６０の流入口６５１は、被収容部６４の端面６５になくてもよく、浄水カートリッジ６０の外周面に流入部を形成してもよい。
（７）浄水カートリッジは、容器本体６１の外周面に開口を形成し、改質部６３の一部が外観に露出していてもよい。この場合、浄水カートリッジの外周と、水栓本体の浄水収容部との間を通水部としてもよい。
（８）開閉弁５０は、板状の可動弁５１を有するものに限らず、シリンダ弁でもよく、浄水の吐出流量を調整できる流量調整弁や、通水部の経路を切り替える切替弁でもよい。
（９）実施例１の開閉弁５０は、原水供給路２１６を開閉するものであったが、浄水流出路２１８を開閉したり、原水供給路２１６と浄水流出路２１８の両方を開閉したりするものでもよい。
（１０）浄水カートリッジ６０と開閉弁５０との連結構造は、実施例１の係止部の構造に限られず、浄水カートリッジ６０の端面６５から流出口６５２が突出し、開閉弁５０と係止して連結する構造でもよい。
（１１）実施例１の浄水用操作部６６は、回転方向が固定リング５２によって規制されるものであったが、回転方向を規制せず、例えば、浄水用操作部６６を９０度回転させる度に、開閉弁５０を開閉操作できるようにしてもよい。また、浄水用操作部６６は、回転操作するものであったが、押し込み操作する押しボタンでもよい。
（１２）実施例１の浄水カートリッジ６０は、浄水用操作部６６が操作されることにより、全体が回転するものであったが、浄水カートリッジ６０の一部分だけ動くものであってもよい。
【符号の説明】
【００５９】
１…水栓装置
１０…水栓本体
１２７…第二収容部
１２８…底部
２１…通水部
２１６…原水供給路
５０…開閉弁
５１…可動弁
５１４…貫通孔（係止部）
５３…固定弁
６０…浄水カートリッジ
６３…改質部
６４…被収容部
６５…端面
６５１…流入口
６５２…流出口
６５７…軸方向突出部（被係止部）
６６…浄水用操作部
９０…カバー部材
【図１】
2020084504.tif 000003
【図２】
2020084504.tif 000004
【図３】
2020084504.tif 000005
【図４】
2020084504.tif 000006
【図５】
2020084504.tif 000007
【図６】
2020084504.tif 000008
【図７】
2020084504.tif 000009
【図８】
2020084504.tif 000010
【図９】
2020084504.tif 000011
【図１０】
2020084504.tif 000012
【図１１】
2020084504.tif 000013
【図１２】
2020084504.tif 000014